(57)【特許請求の範囲】
【請求項１】
複数の異なる音情報と各音情報を示す識別情報とを記憶している第１の記憶手段から、選択操作に応じていずれかの音情報を選択する選択ステップと、
取得操作に応答して画像データを取得する取得ステップと、
前記選択ステップで選択された音情報の識別情報を用いて、前記画像データを記憶する際の画像ファイル名を作成するファイル名作成ステップと、
このファイル名作成ステップで作成された画像ファイル名で、前記画像データを第２の記憶手段に記憶させる記憶ステップとを含み、
前記ファイル名作成ステップで作成されるファイル名は、ピリオド（．）で区切られた左側の第１の部分と右側の第２の部分（拡張子）とで構成され、前記第１の部分に前記音情報の識別情報を含むことを特徴とする画像データ記憶方法。
【請求項２】
前記音情報は曲のデータであり、前記識別情報は各曲のデータを示す曲コードであることを特徴とする請求項１記載の画像データ記憶方法。
【請求項３】
前記曲のデータは、当該曲のＭＩＤＩデータであることを特徴とする請求項２記載の画像データ記憶方法。
【請求項４】
前記取得ステップでは、被写体像を撮影して前記画像データを取得することを特徴とする請求項１、２又は３記載の画像データ記憶方法。
【請求項５】
複数の異なる音情報と各音情報を示す識別情報とを記憶している第１の記憶手段から、選択操作に応じていずれかの音情報を選択する第１の選択ステップと、
取得操作に応答して画像データを取得する取得ステップと、
前記第１の選択ステップで選択された音情報の識別情報を用いて、前記画像データを記憶する際の画像ファイル名を作成するファイル名作成ステップと、
このファイル名作成ステップで作成された画像ファイル名で、前記画像データを第２の記憶手段に記憶させる記憶ステップと、
再生時における選択操作に応じて、前記第２の記憶手段に記憶されている前記画像ファイル名の何れかを選択する第２の選択ステップと、
この第２の選択ステップで選択された画像ファイル名が示す画像データを前記第２の記憶手段から読み出し、この読み出した画像データに基づき画像を再生する画像再生ステップと、
前記第２の選択ステップで選択された画像ファイル名に用いられている前記識別情報を検出する検出ステップと、
この検出ステップで検出された前記識別情報が示す音情報を前記第１の記憶手段から読み出し、この読み出した音情報に基づき音を再生する再生ステップとを含み、
前記ファイル名作成ステップで作成されるファイル名は、ピリオド（．）で区切られた左側の第１の部分と右側の第２の部分（拡張子）とで構成され、前記第１の部分に前記音情報の識別情報を含むことを特徴とする画像データ記憶・再生方法。
【請求項６】
音源部とカメラ部とからなり、
前記音源部は、複数の異なる音情報と各音情報を示す識別情報とを記憶している音情報記憶手段を備え、
前記カメラ部は、被写体を撮像する撮像手段と、
この撮像手段により撮像された被写体の画像データを記憶する際の画像ファイル名を、予め選択された前記音情報の識別情報を用いて作成する作成手段と、
この作成手段で作成されたファイル名で、前記被写体の画像データを記憶する記憶手段と、
再生時において、予め選択された画像ファイル名が示す画像データを前記記憶手段から読み出し、この読み出した画像データに基づき画像を再生する画像再生手段とを備え、
前記音源部は、前記選択された画像ファイル名に用いられた前記識別情報が示す音情報に基づき放音する音再生手段とを備え、
前記作成手段が作成する画像ファイル名は、ピリオド（．）で区切られた左側の第１の部分と右側の第２の部分（拡張子）とで構成され、前記第１の部分に前記音情報の識別情報を含むことを特徴とする撮像装置。
【請求項７】
複数の異なる曲のＭＩＤＩデータと各曲のＭＩＤＩデータを示す曲コードとを記憶している第１の記憶手段と、
この第１の記憶手段に記憶されている各曲の曲コードから、選択操作に応じていずれかの曲の曲コードを選択する第１の選択手段と、
シャッターキーの操作に応答して被写体を撮像する撮像手段と、
前記シャッターキーの操作に応答して、前記第１の選択手段により選択された前記曲コードを用いて、前記撮像手段により撮像された被写体の画像データを記憶する際の画像ファイル名を作成するファイル名作成手段と、
このファイル名作成手段により作成された画像ファイル名で、前記画像データを記憶する第２の記憶手段と、
再生時における選択操作に応じて、前記第２の記憶手段に記憶されている前記画像ファイル名の何れかを選択する第２の選択手段と、
この第２の選択手段により選択された画像ファイル名が示す画像データを前記第２の記憶手段から読み出し、この読み出した画像データに基づき画像を再生する画像再生手段と、
前記第２の選択手段により選択された画像ファイル名に用いられている曲コードを検出する検出手段と、
この検出手段により検出された前記曲コードが示す曲のＭＩＤＩデータを前記第１の記憶手段から読み出し、この読み出したＭＩＤＩデータに基づき曲を再生する曲再生手段とを備え、
前記ファイル名作成手段が作成する画像ファイル名は、ピリオド（．）で区切られた左側の第１の部分と右側の第２の部分（拡張子）とで構成され、前記第１の部分に前記曲コードを含むことを特徴とする撮像装置。
【請求項８】
画像データを得るための撮像素子を有するカメラ部と、
少なくとも１つの音楽データを記憶した第１の記憶装置と、
前記音楽データから形成されるデジタル音楽信号をアナログ信号に変換する変換器とを有し、選択された音楽データを音声信号として出力する音源部と、
カメラ部で得た前記画像データを記憶する第２の記憶装置と、
この第２の記憶装置と前記画像データの読み書きを行い、画像データをファイル形式で保存する不揮発性メモリと、
前記第２の記憶装置内の画像データを映像として表示する表示装置と、
操作スイッチを有する制御部とを備え、
前記不揮発性メモリ内に保存される画像ファイル名は、ピリオド（．）で区切られた左側の第１の部分と右側の第２の部分（拡張子）とで構成され、予め前記第１の記憶装置内の音楽データから一つを前記操作スイッチにより選択した音楽データに対応する曲コードを前記第１の部分に含めた名称に定められ、
画像ファイルを閲覧するときに、音源部で画像ファイル名に対応した曲コードの音楽データを音声信号として出力することを特徴とする撮像装置。
【発明の詳細な説明】
【０００１】
【発明の属する技術分野】
本発明は、画像データと発音データとのデータ記憶方法、データ記憶・再生方法及び画像データと発音データとを記録する撮像装置に関する。
【０００２】
【従来の技術】
従来、画像データと音声データとを関連付けて記録し、再生するデジタルスチルカメラが提案されている（特許文献１参照）。このデジタルスチルカメラは、複数曲の音楽ファイルを記憶したメモリカードを備える。そして、このメモリカードから所望の曲の音楽ファイルを選択して再生し、再生中にその音楽に適した被写体を撮影する。すると、音楽ファイルのタイミング情報記録領域に、その被写体像を特定するデータが撮影タイミングに合わせて記録される。また、音楽ファイルの再生時には、前記タイミング情報記録領域に記録されタイミングで前記被写体像が再生されて表示される。
【０００３】
【特許文献１】
特開２０００−３５０１４６号公報
【０００４】
【発明が解決しようとする課題】
しかしながら、前述の従来技術にあっては、音楽ファイルのタイミング情報記録領域に、撮影した被写体像を特定するデータを記録する。したがって、当該音楽ファイルの再生時には、タイミング情報記録領域に記録されタイミングで常に同一の被写体像が再生されて表示されることとなる。よって、一旦音楽再生中にその音楽に適した被写体を撮影すると、音楽のみを再生して楽しむことができなくなるばかりでなく、当該音楽の再生時に他の異なる被写体像を表示させることも不可能となる。
【０００５】
本発明は、このような従来の課題に鑑みてなされたものであり、音情報を他の異なる画像とも関連付けて記憶することを可能にし、あるいは音情報のみの再生も可能にしつつ、画像と音情報とを関連付けて記憶し再生することのできる画像データ記憶方法、画像データ記憶・再生方法及び撮像装置を提供することを目的とするものである。
【０００６】
【課題を解決するための手段】
前記課題を解決するために請求項１記載の発明にかかる画像データ記憶方法にあっては、複数の異なる音情報と各音情報を示す識別情報とを記憶している第１の記憶手段から、選択操作に応じていずれかの音情報を選択する選択ステップと、取得操作に応答して画像データを取得する取得ステップと、前記選択ステップで選択された音情報の識別情報を用いて、前記画像データを記憶する際の画像ファイル名を作成するファイル名作成ステップと、このファイル名作成ステップで作成された画像ファイル名で、前記画像データを第２の記憶手段に記憶させる記憶ステップとを含み、前記ファイル名作成ステップで作成されるファイル名は、ピリオド（．）で区切られた左側の第１の部分と右側の第２の部分（拡張子）とで構成され、前記第１の部分に前記音情報の識別情報を含む。
【０００７】
つまり、選択された音情報と取得された画像データとは、選択された音情報の識別情報を用いて作成された画像ファイル名により関連付けられる。したがって、この画像ファイル名に基づき、選択された音情報と取得された画像データとを関連付けて再生することが可能となる。しかも、音情報は画像を記憶する際の画像ファイル名により、画像データと関連付けられるのであるから、他の異なる画像データを記憶する際にも、同じ音情報の識別情報を用いれば、当該同じ音情報と他の異なる画像データとを関連付けて記憶することができる。
【０００８】
また、音情報を画像ファイル名で画像データと関連付けて第２の記憶手段に記憶しても、第１の記憶手段に記憶されている音情報それ自体に影響を与えることはないから、画像データの再生を伴わない音情報のみの再生も可能である。
【００１２】
また、請求項２記載の発明にかかる画像データ記憶方法にあっては、前記音情報は曲のデータであり、前記識別情報は各曲のデータを示す曲コードである。したがって、選択された曲のデータと取得された画像データとを関連付けて再生することが可能となるとともに、他の異なる画像データを記憶する際にも、同様にして同じ曲のデータのコードを他の異なる画像データと関連付けて記憶することができ、さらに画像データの再生を伴わない曲のデータのみの再生も可能となる。
【００１３】
また、請求項３記載の発明にかかる画像データ記憶方法にあっては、前記曲のデータは、当該曲のＭＩＤＩデータである。したがって、選択された曲のＭＩＤＩデータと取得された画像データとを関連付けて再生することが可能となるとともに、他の異なる画像データを記憶する際にも、同様にして同じ曲のＭＩＤＩデータの曲コードを他の異なる画像データと関連付けて記憶することができ、さらに画像データの再生を伴わないＭＩＤＩデータのみの再生も可能となる。
【００１４】
また、請求項４記載の発明にかかる画像データ記憶方法にあっては、前記取得ステップでは、被写体像を撮影して前記画像データを取得する。したがって、選択された曲の曲データ等と撮影された被写体像の画像データとを関連付けて再生することが可能となるとともに、他の異なる被写体像の画像データを記憶する際にも、同様にして同じ曲のデータの曲コードを他の異なる被写体像の画像データと関連付けて記憶することができる。
【００２２】
また、請求項５記載の発明にかかるデータ記憶・再生方法にあっては、複数の異なる音情報と各音情報を示す識別情報とを記憶している第１の記憶手段から、選択操作に応じていずれかの音情報を選択する第１の選択ステップと、取得操作に応答して画像データを取得する取得ステップと、前記第１の選択ステップで選択された音情報の識別情報を用いて、前記画像データを記憶する際の画像ファイル名を作成するファイル名作成ステップと、このファイル名作成ステップで作成された画像ファイル名で、前記画像データを第２の記憶手段に記憶させる記憶ステップと、再生時における選択操作に応じて、前記第２の記憶手段に記憶されている前記画像ファイル名の何れかを選択する第２の選択ステップと、この第２の選択ステップで選択された画像ファイル名が示す画像データを前記第２の記憶手段から読み出し、この読み出した画像データに基づき画像を再生する画像再生ステップと、前記第２の選択ステップで選択された画像ファイル名に用いられている前記識別情報を検出する検出ステップと、この検出ステップで検出された前記識別情報が示す音情報を前記第１の記憶手段から読み出し、この読み出した音情報に基づき音を再生する再生ステップとを含み、前記ファイル名作成ステップで作成されるファイル名は、ピリオド（．）で区切られた左側の第１の部分と右側の第２の部分（拡張子）とで構成され、前記第１の部分に前記音情報の識別情報を含む。
したがって、選択された音情報の識別情報を用いて画像データを記憶する際の画像ファイル名が作成されることから、この画像ファイル名により画像と音情報とが関連付けられる。そして、再生時には、この画像ファイル名により関連付けられた画像と曲とを再生することができる。
【００２７】
また、請求項６記載の発明にかかる撮像装置にあっては、音源部とカメラ部とからなり、前記音源部は、複数の異なる音情報と各音情報を示す識別情報とを記憶している音情報記憶手段を備え、前記カメラ部は、被写体を撮像する撮像手段と、この撮像手段により撮像された被写体の画像データを記憶する際の画像ファイル名を、予め選択された前記音情報の識別情報を用いて作成する作成手段と、この作成手段で作成されたファイル名で、前記被写体の画像データを記憶する記憶手段と、再生時において、予め選択された画像ファイル名が示す画像データを前記記憶手段から読み出し、この読み出した画像データに基づき画像を再生する画像再生手段とを備え、前記音源部は、前記選択された画像ファイル名に用いられた前記識別情報が示す音情報に基づき放音する音再生手段とを備え、前記作成手段が作成する画像ファイル名は、ピリオド（．）で区切られた左側の第１の部分と右側の第２の部分（拡張子）とで構成され、前記第１の部分に前記音情報の識別情報を含む。
したがって、選択された音情報の識別情報を用いて画像データを記憶する際の画像ファイル名が作成されることから、この画像ファイル名により画像と音情報とが関連付けられる。そして、再生時には、この画像ファイル名により関連付けられた画像と曲とを再生することができる。
【００３２】
また、請求項７記載の発明にかかる撮像装置にあっては、複数の異なる曲のＭＩＤＩデータと各曲のＭＩＤＩデータを示す曲コードとを記憶している第１の記憶手段と、この第１の記憶手段に記憶されている各曲の曲コードから、選択操作に応じていずれかの曲の曲コードを選択する第１の選択手段と、シャッターキーの操作に応答して被写体を撮像する撮像手段と、前記シャッターキーの操作に応答して、前記第１の選択手段により選択された前記曲コードを用いて、前記撮像手段により撮像された被写体の画像データを記憶する際の画像ファイル名を作成するファイル名作成手段と、このファイル名作成手段により作成された画像ファイル名で、前記画像データを記憶する第２の記憶手段と、再生時における選択操作に応じて、前記第２の記憶手段に記憶されている前記画像ファイル名の何れかを選択する第２の選択手段と、この第２の選択手段により選択された画像ファイル名が示す画像データを前記第２の記憶手段から読み出し、この読み出した画像データに基づき画像を再生する画像再生手段と、前記第２の選択手段により選択された画像ファイル名に用いられている曲コードを検出する検出手段と、この検出手段により検出された前記曲コードが示す曲のＭＩＤＩデータを前記第１の記憶手段から読み出し、この読み出したＭＩＤＩデータに基づき曲を再生する曲再生手段とを備え、前記ファイル名作成手段が作成する画像ファイル名は、ピリオド（．）で区切られた左側の第１の部分と右側の第２の部分（拡張子）とで構成され、前記第１の部分に前記曲コードを含む。
したがって、選択された曲の曲コードを用いて、撮像した画像データを記憶する際の画像ファイル名が作成されることから、この画像ファイル名により画像と曲のＭＩＤＩデータとが関連付けられる。そして、再生時には、この画像ファイル名により関連付けられた撮像済の画像と曲とを再生することができる。
【００３３】
また、請求項８記載の発明にかかる撮像装置にあっては、画像データを得るための撮像素子を有するカメラ部と、少なくとも１つの音楽データを記憶した第１の記憶装置と、前記音楽データから形成されるデジタル音楽信号をアナログ信号に変換する変換器とを有し、選択された音楽データを音声信号として出力する音源部と、カメラ部で得た前記画像データを記憶する第２の記憶装置と、この第２の記憶装置と前記画像データの読み書きを行い、画像データをファイル形式で保存する不揮発性メモリと、前記第２の記憶装置内の画像データを映像として表示する表示装置と、操作スイッチを有する制御部とを備え、前記不揮発性メモリ内に保存される画像ファイル名は、ピリオド（．）で区切られた左側の第１の部分と右側の第２の部分（拡張子）とで構成され、予め前記第１の記憶装置内の音楽データから一つを前記操作スイッチにより選択した音楽データに対応する曲コードを前記第１の部分に含めた名称に定められ、画像ファイルを閲覧するときに、音源部で画像ファイル名に対応した曲コードの音楽データを音声信号として出力する。
したがって、予め選択された曲の曲コードを一部に含めた名称で画像データを記憶する際の画像ファイル名が定められることから、この画像ファイル名により画像と音楽データとが関連付けられる。そして、画像ファイルの閲覧時には、画像ファイル名に対応した曲コードの音楽データが音声信号として出力される。
【００３５】
【発明の実施の形態】
以下、本発明の実施の形態を図に従って説明する。
（１）第１の実施の形態
図１は、本発明の第１の実施の形態にかかるデジタルカメラ１の回路構成を示す概略ブロック図である。このデジタルカメラ１は、カメラ部３と音源部４とで構成されている。カメラ部３には、バスライン２０１を介して接続されたＣＰＵ２０２、ＲＯＭ２０３、フラッシュメモリ２０４、ＤＲＡＭ２０５、画像出力回路２０６が設けられている。ＣＰＵ２０２は、カメラ部３と音源部４とを制御するものであり、ＲＯＭ２０３には、ＣＰＵ２１が動作して各部制御するためのコントロールプログラムが格納されている。
【００３６】
フラッシュメモリ２０４は、着脱自在であって撮像された画像データ等を記憶する記憶手段であり、ＤＲＡＭ２０５は作業用データを一時的に格納するために使用される。画像出力回路２０６は、ＤＲＡＭ２０５内の画像データを映像信号に変換するものであり、この映像信号に基づく映像を表示するＬＣＤ２０７、及び映像信号を外部に出力するため映像出力端子２０８が接続されている。また、バスライン２０１には、操作スイッチ部２０９と外部インタフェース用端子２１０とが接続されている。操作スイッチ部２０９には、後述するシャッターキー、撮影モードと再生モードとを選択的に設定するためのモード設定キー、撮影条件を入力するためのキー、及びこのデジタルカメラ１において必要な各種キーが設けられている。
【００３７】
カメラ部３には、バスライン３０１を介して接続されたＣＰＵ３０２、ＤＲＡＭ３０３、カメラ制御回路３０４、撮像素子３０５が設けられている。ＣＰＵ３０２はカメラ部内の各部を制御するものであり、また、撮像素子３０５で撮像した画像データをＡ／Ｄ変換し、ＣＣＤ等のカラーフィルタを介して得られた画素配列のままの生データとしてＤＲＡＭ３０３に一時記憶する。ＤＲＡＭ３０３は撮像素子３０５で取得した被写体の画像データを一時格納するために使用される。すなわち、ＤＲＡＭ３０３は複数画面分のバッファを持って高速撮影時に撮影画像データをバッファリングしておくことができる。カメラ制御回路３０４は、レンズ系等の光学部品の焦点や撮像素子３０５の露出等を制御するものであり、撮像素子３０５は前記レンズ系の後方に配置されたＣＣＤあるいはＣ−ＭＯＳからなる。
【００３８】
音源部４には、バスライン４０１を介して接続されたＣＰＵ４０２、ＤＲＡＭ４０３、第１ＲＯＭ４０４、第２ＲＯＭ４０５、演奏回路４０６、ＤＡコンバータ４０７が設けられている。ＣＰＵ４０２は、音源部４内の各部を制御するものであり、ＤＲＡＭ４０３は曲データ（ＭＩＤＩデータ）あるいはデジタル音声データを一時格納するために使用される。演奏回路４０６は、ＤＲＡＭ４０３内の曲データあるいはデジタル音声データをデジタル音声信号に変換するものである。ＤＡコンバータ４０７は、デジタル音声を音声として再生可能なアナログ信号に変換するものであり、アンプ４０８を介してスピーカ４０９に接続されているとともに、音声出力端子４１０に接続されている。
【００３９】
ＭＩＤＩ（Musical Instrument Digital Interface）は、個々の機器をコントロールするためのメッセージであるチャンネルメッセージと、ＭＩＤＩシステム全体をコントロールするためのメッセージであるシステムメッセージとに分類される。チャンネルメッセージには、ノート・オンやノート・オフ、プログラムチェンジ、ピッチ・ベンドといった一般の演奏情報が全て含まれる。チャンネルメッセージは、さらにボイスメッセージとモードメッセージに分かれる。ノート情報をはじめとする通常の演奏情報は全てボイスメッセージに含まれる。モードメッセージは、モノフォニックとポリフォニックといったボイスメッセージをどのように受信するかというような動作を決める働きを持つ。
【００４０】
第１ＲＯＭ４０４には図２に示す曲データリストが格納されている。この曲データリストは、「００１」〜「０１４」の各場面コードに対応する各場面と、各場面に適切な４種類異なる曲の曲コードとで構成されている。各曲コードは、場面コード「００１」〜「０１４」と「Ａ」〜「Ｄ」の組み合わせからなり、末尾にＭＩＤＩデータであることを示す識別子「．ＭＩＤ」がピリオド「．」により区切られて付され、各曲のファイル名が構成されている。
なお、ピリオド「．」により区切られてファイル名の右側に付される識別子は、一般に拡張子または書式識別子と呼ばれる。
【００４１】
つまり、例えば場面コード「００１」の「春」に対して、春がイメージされあるいは春を連想させる四曲の曲コード「００１Ａ」「００１Ｂ」「００１Ｃ」「００１Ｃ」が付され、さらに識別子「．ＭＩＤ」が付された「００１Ａ．ＭＩＤ」「００１Ｂ．ＭＩＤ」「００１Ｃ．ＭＩＤ」「００１Ｃ．ＭＩＤ」が春を連想させる四曲の各ファイル名である。そして、第１ＲＯＭ４０４には、これらファイル名「００１Ａ．ＭＩＤ」〜「０１４Ｄ．ＭＩＤ」で、曲コードに対応する曲を自動演奏するためのＭＩＤＩデータが合計で８０曲分格納されているのである。
【００４２】
第２ＲＯＭ４０５には図３に示す音声データリストが格納されている。この音声データリストは、「Ｗ０１」〜「Ｗ０３」の各場面コードに対応する各場面と、各場面に適切な４種類異なる音声の音声コードとで構成されている。各音声コードは各音声コードは場面コード「Ｗ０１」〜「Ｗ０３」と「Ａ」〜「Ｄ」の組み合わせからなり、末尾にデジタル音声データであることを示す識別子「．ＷＡＶ」がピリオド「．」により区切られて付され、各音声の各曲のファイル名が構成されている。
【００４３】
つまり、例えば場面コード「Ｗ０１」の「自然音」に対して、四種類の音声コード「Ｗ０１Ａ」「Ｗ０１Ｂ」「Ｗ０１Ｃ」「Ｗ０１Ｃ」が付され、さらに識別子「．ＷＡＶ」が付された「Ｗ０１Ａ．ＷＡＶ」「Ｗ０１Ｂ．ＷＡＶ」「Ｗ０１Ｃ．ＷＡＶ」「Ｗ０１Ｃ．ＷＡＶ」が自然音の各ファイル名である。そして、第１ＲＯＭ４０４には、これらファイル名「Ｗ０１Ａ．ＷＡＶ」〜「Ｗ０３Ｄ．ＷＡＶ」で音声コードに各々対応する音声を発生するためのデジタル音声データが合計で１２個分格納されているのである。
【００４４】
（撮影モード時）
以上の構成にかかる本実施の形態において、ユーザによる操作スイッチ部２０９にての操作により撮影モードが選択されると、カメラ部３のＣＰＵ２０２は、ＲＯＭ２０３に格納されているコントロールプログラムに基づき、図４に示すフローチャートに従って処理を実行する。すなわち、カメラ部３に対して、マクロ撮影や遠景撮影、ストロボ撮影、ストロボ撮影禁止等の操作スイッチ部２０９から入力された撮影条件を伝達し（ステップＳ１０１）、カメラ部３の光学部品をその条件に合わせて調整させる。
【００４５】
次に、第１及び第２ＲＯＭ４０４、４０５に格納されているいずれかの曲又は音声が選択されたか否かを判断し（ステップＳ１０２）、選択されたならば選択曲又は選択音声のコードを確定する（ステップＳ１０３）。すなわち、ユーザが操作スイッチ部２０９での操作により所望の曲又は音声のファイル名を入力すると、この入力されたファイル名から選択曲又は選択音声のコードを確定する。例えば、ファイル名「０００５Ａ．ＭＩＤ」の曲を選択すると、曲コード「００５Ａ」が確定され、ファイル名「Ｗ０３Ａ．ＷＡＶ」の音声を選択すると、音声コード「Ｗ０３Ａ」が確定される。
【００４６】
そして、この曲コード又は音声コードが確定すると、該当する曲データ又は音声データに基づくデモ演奏又はデモ発音を音源部４に指示し（ステップＳ１０４）、所定時間が経過したならば（ステップＳ１０５；ＹＥＳ）、デモ演奏又はデモ発音の停止を音源部４に指示する（ステップＳ１０６）。
【００４７】
一方、音源部４は図５のフローチャートに示すように、演奏又は発音指示があると（ステップＳ２０１；ＹＥＳ）、コードに該当する曲又は発音データを第１ＲＯＭ４０４又は第２ＲＯＭ４０５よりＤＲＡＭ４０３に読み込み（ステップＳ２０２）、このＤＲＡＭ４０３に読み込んだ曲データに基づく自動演奏、又は発音データに基づく発音を行う（ステップＳ２０３）。このステップＳ２０３での処理により、スピーカ４０９から曲を構成する楽音、又は音声が発生する。また、ステップＳ２０３の処理をカメラ部３から演奏又は発音停止指示があるまで（ステップＳ２０４がＹＥＳとなるまで）継続し、カメラ部３から演奏又は発音停止指示があった時点で、演奏又は発音を停止する（ステップＳ２０５）。
【００４８】
他方、カメラ部３は、前述のステップＳ１０１によりカメラ部３から撮影条件が伝達されると、図６のフローチャートに示すように、光学部材をその条件に合わせて調整するカメラ制御を実行する（ステップＳ３０１）。そして、この調整した露出条件や焦点で撮像素子３０５によって被写体の画像データを取得し、撮像素子３０５からＤＲＡＭ３０３に転送して一時保管した後（ステップＳ３０２）、ＤＲＡＭ３０３からカメラ部３のＤＲＡＭ２０５に転送する（ステップＳ３０３）。
【００４９】
カメラ部３のＣＰＵ２０２は、前記ＤＲＡＭ３０３に記憶された生データに対し画像処理を行い、色差信号ＹＵＶに変換しＤＲＡＭ２０５に記憶する。このＹＵＶ画像データはＬＣＤのＲＧＢ配列に対応する表示データに変換され画像出力回路２０６を介してＬＣＤ２０７で表示される。ＬＣＤをファインダとしてスルー画像を表示しているときは、ＹＵＶ信号を繰り返し表示データに変換して出力している。したがって、図４のフローチャートに示すように、ＤＲＡＭ２０５内の画像データに基づく画像をＬＣＤ２０７に表示させる（ステップＳ１０７）。これにより、ＬＣＤ２０７には、ユーザがこのデジタルカメラ１のレンズを向けている被写体のスルー画像が表示されることとなる。カメラ部３は、操作スイッチ部２０９でシャッターキーが操作されるまで（ステップＳ１０８）、このスルー画像をＬＣＤ２０７に表示させた状態を継続する。ユーザが、このＬＣＤ２０７に表示されたスルー画像を見ながら撮像したい画像が表示された時点でシャッターキーを操作すると、ステップＳ１０８からステップＳ１０９に進む。
【００５０】
そして、このステップＳ１０９では、前述のステップＳ１０３で確定した曲コード又は音声コードを用いて、「曲コード＋連続番号」又は「音声コード＋連続番号」を撮像した画像の画像ファイル名とする（ステップＳ１０９）。すなわち、例えば曲コード「００５Ｂ」が選択された状態で１枚目のＪＰＥＧ形式画像が撮影された場合には、ファイル名を「００５Ｂ０００１．ＪＰＧ」とし、５枚目であれば「００５Ｂ０００５．ＪＰＧ」とする。次に、ＤＲＡＭ２０５内の画像データを、前記ステップＳ１０９で決定済のファイル名でフラッシュメモリ２０４に保存する（ステップＳ１１０）。すなわち、ＣＰＵ２０２は、前記ＤＲＡＭ３０３に記憶された生データに対し画像処理を行い、例えばＪＰＥＧフォーマットに圧縮して、フラッシュメモリ２０４に記録する。
【００５１】
なお、ステップＳ１０９で決定されるファイル名は、先頭８文字がそれぞれ一つの画像ファイルに対応していればよく、撮影順のシリアル番号は間欠的であっても、撮影順に連続的であってもよい。また、既存のデジタルカメラ用のファイル名に関する規格などから、画像ファイル名は８文字の半角英数大文字と拡張子部分（４文字）で表記する必要があり、曲コードが特殊記号を除いた半角英数大文字で３〜５文字とすることで、曲コードの後に数桁のシリアル番号を表記することができる。
【００５２】
（再生モード時）
また、ユーザによる操作スイッチ部２０９にての操作により再生モードが選択されると、カメラ部３のＣＰＵ２０２は、ＲＯＭ２０３に格納されているコントロールプログラムに基づき、図７に示すフローチャートに従って処理を実行する。すなわち、ユーザによる操作スイッチ部２０９での操作により、いずれかの画像ファイル名の画像ファイルが選択されるまで待機する（ステップＳ４０１）。いずれかの画像ファイル名が選択されたならば、選択された画像ファイル名より曲コード又は音声コードを取得する（ステップＳ４０２）。つまり、前述のように、画像ファイル名は「曲コード＋連続番号」、又は「音声コード＋連続番号」で構成されていることから、選択された画像ファイル名から曲コード又は音声コードを取得することができる。
【００５３】
次に、この取得した曲コードに該当する曲データに基づく演奏、又は取得した発音コードに該当する発音データに基づく発音を音源部４に指示する（ステップＳ４０３）。すると、音源部４は図５のフローチャートにより説明したように、演奏又は発音指示があると、コードに該当する曲又は発音データをＤＲＡＭ４０３に読み込み（ステップＳ２０２）、このＤＲＡＭ４０３に読み込んだ曲データに基づく自動演奏、又は発音データに基づく発音を行う（ステップＳ２０３）。このステップＳ２０３での処理により、スピーカ４０９から曲を構成する楽音、又は音声が発生する。
【００５４】
さらに、カメラ部３は選択された画像ファイル名の画像データをフラッシュメモリ２０４よりＤＲＡＭ２０５に読み込み（ステップＳ４０４）、この読み込んだＤＲＡＭ２０５内の画像データに基づく画像をＬＣＤ２０７に表示させる（ステップＳ４０５）。したがって、ユーザはスピーカ４０９から放音される曲又は音声を受聴しながら、ＬＣＤ２０７に表示される画像を見て楽しむことができる。そして、曲の演奏が終了しあるいはユーザが操作スイッチ部２０９での操作により再生を中止すると等の演奏終了タイミング又は発音停止タイミングが生ずると（ステップＳ４０６；ＹＥＳ）、カメラ部３は音源部４に演奏又は発音の停止を指示する（ステップＳ４０７）。このカメラ部３から演奏又は発音停止指示があると、音源部４は前述のように演奏又は発音停止指示があった時点で、演奏又は発音を停止し（ステップＳ２０５）、これよりスピーカ４０９からの放音が停止することとなる。
【００５５】
（２）第２の実施の形態
本発明の第２の実施の形態にかかるデジタルカメラ１の回路構成は、図１に示した第１の実施の形態と同一である。但し、図２に示した第１ＲＯＭ４０４内の曲データリストには各曲の曲コードとともに曲名も書き込まれており、図３に示した第２ＲＯＭ４０５内の音声データリストには、各音声の音声コードとともに音声名も書き込まれている。
【００５６】
（撮影モード時）
かかる第２の実施の形態において、ユーザによる操作スイッチ部２０９にての操作により撮影モードが選択されると、カメラ部３のＣＰＵ２０２は、ＲＯＭ２０３に格納されているコントロールプログラムに基づき、図８に示すフローチャートに従って処理を実行する。すなわち、カメラ部３に対して、マクロ撮影や遠景撮影、ストロボ撮影、ストロボ撮影禁止等の操作スイッチ部２０９から入力された撮影条件を伝達し（ステップＳ５０１）、カメラ部３の光学部品をその条件に合わせて調整させる。
【００５７】
次に、ＬＣＤ２０７に曲又は音声が選択させるための選択画面を表示させる（ステップＳ５０２）。このステップＳ５０２での処理により、図９のＡ部及びＢ部に示すように、第１及び第２ＲＯＭ４０４、４０５から読み出されたデータに基づき、複数の場面項目からなる場面選択画面がスクロール可能な状態で表示される。次に、この場面選択画面に表示されている複数の場面項目からいずれかが選択されたか否かを判断する（ステップＳ５０３）。いずれかの場面項目からいずれかが選択されたならば、フラッシュメモリ２０４に画像データを保存するときのフォルダ（画面フォルダ）を決定する（ステップＳ５０４）。すなわち、例えばこの画面選択が１番目の選択であった場合には、図１０に示すように、「場面フォルダ１」を決定し、２番目の選択であった場合には「場面フォルダ２」を決定する。
【００５８】
引き続き、前述のように選択された場面に属する四種類の曲又は音声のリストを、その曲名及び音声名とともにＬＣＤ２０７に表示させる（ステップＳ５０５）。したがって、予め場面項目として「００５（運動会）」が選択されていると、このステップＳ５０５での処理により、図９のＣ部に示すように、「００５（運動会）」に属する四曲の曲リスト「００５Ａ．ＭＩＤ（行進曲Ａ）」「００５Ｂ．ＭＩＤ（行進曲Ｂ）」「００５Ｃ．ＭＩＤ（行進曲Ｃ）」「００５Ｄ．ＭＩＤ（行進曲Ｄ）」が表示されることとなる。
【００５９】
そして、この選択されたリストからいずれかの曲コード又は音声コードが選択されたか否か判断する（ステップＳ５０６）。選択されたならば該当する曲データ又は音声データに基づくデモ演奏又はデモ発音を音源部４に指示し（ステップＳ５０７）、所定時間が経過したならば（ステップＳ５０８；ＹＥＳ）、デモ演奏又はデモ発音の停止を音源部４に指示する（ステップＳ５０９）。これにより、音源部４は図５のフローチャートで説明したように、曲データに基づく自動演奏、又は発音データに基づく発音を所定時間行う。
【００６０】
しかる後にカメラ部３は、曲又は音声データ名（曲コード又は音声コード）を選曲リスト（ＢＧＭＬＩＳＴ．ＴＸＴ）に記述し（ステップＳ５１０）、この選曲リスト（ＢＧＭＬＩＳＴ．ＴＸＴ）を前記場面フォルダに保存する（ステップＳ５１１）。したがって、このステップＳ５１１での処理により、図１０に示したように、「場面フォルダ１」あるいは「場面フォルダ２」に「ＢＧＭＬＩＳＴ．ＴＸＴ」が保存されることとなる。
【００６１】
他方、カメラ部３は、前述のステップＳ５０１によりカメラ部３から撮影条件が伝達されると、図６のフローチャートで説明したように、光学部材をその条件に合わせて調整するカメラ制御を実行し（ステップＳ３０１）、この調整した露出条件や焦点で撮像素子３０５によって被写体の画像データを取得し、撮像素子３０５からＤＲＡＭ３０３に転送して一時保管した後（ステップＳ３０２）、ＤＲＡＭ３０３からカメラ部３のＤＲＡＭ２０５に転送する（ステップＳ３０３）。
【００６２】
するとカメラ部３は、図８のフローチャートに示すように、ＤＲＡＭ２０５内の画像データに基づく画像をＬＣＤ２０７に表示させる（ステップＳ５１２）。これにより、ＬＣＤ２０７には、ユーザがこのデジタルカメラ１のレンズを向けている被写体のスルー画像が表示されることとなる。カメラ部３は、操作スイッチ部２０９でシャッターキーが操作されるまで（ステップＳ５１３）、このスルー画像をＬＣＤ２０７に表示させた状態を継続する。ユーザが、このＬＣＤ２０７に表示されたスルー画像を見ながら撮像したい画像が表示された時点でシャッターキーを操作すると、ステップＳ５１３からステップＳ５１４に進む。
【００６３】
そして、画像ファイル名を決定した後（ステップＳ５１４）、ＤＲＡＭ２０５内の画像データを、前記ステップＳ５０４で決定済のフラッシュメモリ２０４内の場面フォルダ内に保存する（ステップＳ５１５）。さらに、撮影モードから他のモードに移行したか否かを判断し、撮影モードが維持されている場合には、ステップＳ５１２からの処理を繰り返す。したがって、シャッターキーが操作される都度、ステップＳ５１４及びステップＳ５１５の処理が繰り返されることとなり、これにより図１０に例示したように、フラッシュメモリ２０４の「場面フォルダ１」あるいは「場面フォルダ２」には、画像ファイル名「Ｐ００５０００１．ＪＰＧ」〜「Ｐ００５０００５．ＪＰＧ」の画像データが保存されることとなる。
【００６４】
（再生モード時）
また、ユーザによる操作スイッチ部２０９にての操作により再生モードが選択されると、カメラ部３のＣＰＵ２０２は、ＲＯＭ２０３に格納されているコントロールプログラムに基づき、図１１に示すフローチャートに従って処理を実行する。すなわち、ユーザによる操作スイッチ部２０９での操作により、いずれかの画面フォルダが選択されるまで待機する（ステップＳ６０１）。いずれかの画面フォルダが選択されたならば、選択された画面フォルダの選曲リスト（ＢＧＭＬＩＳＴ．ＴＸＴ）を読み込み（ステップＳ６０２）、この選曲リスト（ＢＧＭＬＩＳＴ．ＴＸＴ）にある曲コード又は音声コードに対応する曲データ又は音声データに基づく基づく演奏、又は発音を音源部４に指示する（ステップＳ６０３）。すると、音源部４は図５のフローチャートにより説明したように、演奏又は発音指示があると、コードに該当する曲又は発音データをＤＲＡＭ４０３に読み込み（ステップＳ２０２）、このＤＲＡＭ４０３に読み込んだ曲データに基づく自動演奏、又は発音データに基づく発音を行う（ステップＳ２０３）。このステップＳ２０３での処理により、スピーカ４０９から曲を構成する楽音、又は音声が発生する。
【００６５】
さらに、カメラ部３はステップＳ６０１で選択済の画面フォルダから画像ファイルを順次選択して（ステップＳ６０４）、フラッシュメモリ２０４よりＤＲＡＭ２０５に読み込み（ステップＳ６０５）、この読み込んだＤＲＡＭ２０５内の画像データに基づく画像をＬＣＤ２０７に表示させる（ステップＳ６０６）。したがって、スピーカ４０９からは曲を構成する楽音又は音声が発生し、かつ、ＬＣＤ２０７には順次画像が表示され、ユーザはスピーカ４０９から放音される曲又は音声を受聴しながら、ＬＣＤ２０７の順次変化する画像を見て楽しむことができる。そして、曲の演奏が終了しあるいはユーザが操作スイッチ部２０９での操作により再生を中止すると等の演奏終了タイミング又は発音停止タイミングが生ずると（ステップＳ６０７；ＹＥＳ）、カメラ部３は音源部４に演奏又は発音の停止を指示する（ステップＳ６０８）。このカメラ部３から演奏又は発音停止指示があると、音源部は前述のように演奏又は発音停止指示があった時点で、演奏又は発音を停止し（ステップＳ２０５）、これよりスピーカ４０９からの放音が停止することとなる。
【００６６】
なお、各実施の形態においては、ＬＣＤ２０７に画像を表示し、かつスピーカ４０９から放音させることにより、デジタルカメラ１自体で再生を行うようにした。しかし、図１に示すように、デジタルカメラ１は映像出力端子２０８、外部インタフェース用端子２１０、音声出力端子４１０が設けられているので、これら端子２０８、２１０、４１０にモニター、パソコン、スピーカを接続することにより、外部機器で画像及び曲、音声の再生を行うようにしてもよい。また、ＣＰＵ３０２と２０２と４０２は１つ若しくは２つのＣＰＵで兼用させることができる。さらに、ＤＲＡＭ３０３と２０５と４０３は１つ若しくは２つのＤＲＡＭで兼用させることができる。
【００６７】
（３）その他の実施の形態
記録媒体に対する曲データと画像データとの関連付けした記録に関しては、前述した第１及び実施の形態に示した対応関係のみならず、図１２〜１６に示す対応関係とするようにしてもよい。
【００６８】
▲１▼図１２
記録媒体５０１の連続した各領域（Ｎｏ．１、２、３・・・）毎に、ＭＩＤＩファイル（曲データ自体）５０２と画像ファイル５０３とを記憶させることにより両者を関連付ける。特に記録媒体がテープ状である場合は、有効な関連付け形態となる。
【００６９】
▲２▼図１３
記録媒体６０１の連続した各領域（Ｎｏ．１、２、３・・・）毎に、曲データメモリ６０２に記憶されているＭＩＤＩファイル（曲データ）のファイル名５０３と画像ファイル５０４とを記憶させることにより両者を関連付ける。
【００７０】
▲３▼図１４
記録媒体７０１に、画像データファイル名７０２とＭＩＤＥデータファイル名７０３とが対応するように関連付けて、それぞれのフォルダ７０４、７０５に保管する。再生時には、画像データファイル名７０２より、ＭＩＤＥデータを参照する。
【００７１】
▲４▼図１５
記録媒体８０１に、前述した第２の実施の形態と同様に、選択された画面毎の画面フォルダ８０２、８０３、８０４、８０５を形成し、各フォルダにＭＩＤＥデータファイル８０６と画像データファイル８０７とを保管する。
【００７２】
▲５▼図１６
記録媒体９０１に、前述した第２の実施の形態と同様に、選択された画面毎の画面フォルダ９０２、９０３、９０４、９０５を形成し、各フォルダに曲データメモリ９０６に記憶されているＭＩＤＩファイル（曲データ）９０７のＭＩＤＥデータファイル名９０８と画像データファイル９０９とを保管する。
【００７３】
【発明の効果】
以上説明したように本発明にかかるデータ記憶方法によれば、音情報と画像データとを、音情報の識別情報を用いて作成された画像ファイル名により関連付けることができる。したがって、この画像ファイル名に基づき、選択された音情報と取得された画像データとを関連付けて再生することが可能となる。しかも、音情報は画像を記憶する際の画像ファイル名により、画像データと関連付けられるのであるから、他の異なる画像データを記憶する際にも、同じ音情報の識別情報を用いれば、当該同じ音情報と他の異なる画像データとを関連付けて記憶することもできる。加えて、音情報を画像ファイル名で画像データと関連付けて記憶しても、音情報それ自体に影響を与えることはないことから、画像データの再生を伴わない音情報のみの再生も可能とすることができる。
【００７５】
また、本発明にかかるデータ記憶・再生方法及び撮像装置によれば、音情報を他の異なる画像データと関連付けたり、音情報のみ再生を可能にしつつ、画像と音情報とを関連付けて記憶することができるとともに、この画像と曲とを同時再生する等関連付けて再生することができる。
【図面の簡単な説明】
【図１】本発明の第１の実施の形態にかかるデジタルカメラの回路構成を示す概略ブロック図である。
【図２】第１ＲＯＭに記憶された曲データリストを示す概念図である。
【図３】第２ＲＯＭに記憶された音声データリストを示す概念図である。
【図４】第１の実施の形態における制御部の撮影モード時の処理手順を示すフローチャートである。
【図５】音源部の処理手順を示すフローチャートである。
【図６】カメラ部の処理手順を示すフローチャートである。
【図７】第１の実施の形態における制御部の再生モード時の処理手順を示すフローチャートである。
【図８】第２の実施の形態における制御部の撮影モード時の処理手順を示すフローチャートである。
【図９】選択画面例を示す図である。
【図１０】フラッシュメモリ内のデータ記憶状態を示す概念図である。
【図１１】第２の実施の形態における制御部の再生モード時の処理手順を示すフローチャートである。
【図１２】本発明の他の実施の形態において関連付けられたデータの記憶状態を示す概念図である。
【図１３】本発明の他の実施の形態において関連付けられたデータの記憶状態を示す概念図である。
【図１４】本発明の他の実施の形態において関連付けられたデータの記憶状態を示す概念図である。
【図１５】本発明の他の実施の形態において関連付けられたデータの記憶状態を示す概念図である。
【図１６】本発明の他の実施の形態において関連付けられたデータの記憶状態を示す概念図である。
【符号の説明】
１    デジタルカメラ
２    制御部
３    カメラ部
４    音源部
２１    ＣＰＵ
２０２    ＣＰＵ
２０３    ＲＯＭ
２０４    フラッシュメモリ
２０５    ＤＲＡＭ
２０６    画像出力回路
２０７    ＬＣＤ
２０９    操作スイッチ部
３０２    ＣＰＵ
３０３    ＤＲＡＭ
３０４    カメラ制御回路
３０５    撮像素子
４０２    ＣＰＵ
４０３    ＤＲＡＭ
４０４    第１ＲＯＭ
４０５    第２ＲＯＭ
４０６    演奏回路
４０７    ＤＡコンバータ
４０８    アンプ
４０９    スピーカ
【図１】
0004066794.tif 000002
【図２】
0004066794.tif 000003
【図３】
0004066794.tif 000004
【図４】
0004066794.tif 000005
【図５】
0004066794.tif 000006
【図６】
0004066794.tif 000007
【図７】
0004066794.tif 000008
【図８】
0004066794.tif 000009
【図９】
0004066794.tif 000010
【図１０】
0004066794.tif 000011
【図１１】
0004066794.tif 000012
【図１２】
0004066794.tif 000013
【図１３】
0004066794.tif 000014
【図１４】
0004066794.tif 000015
【図１５】
0004066794.tif 000016
【図１６】
0004066794.tif 000017